(57)【特許請求の範囲】
【請求項１】
便器本体両側の側壁部の肘掛け上縁後部に背もたれ板取付け凹部を設け、該取付け凹部の前壁と後壁とにはキー溝を有する孔を設け、該後壁の孔は該肘掛けの後面に開口し、一方背もたれ板の両端下部には取付け部を設け、該取付け部にはキー溝を有する孔を設け、該背もたれ板の両側の該取付け部を該肘掛けの取付け凹部に嵌合し、根端に頭部を有し先端にキーを有するロック棒を該肘掛けの取付け凹部の後壁の孔と該背もたれ板の取付け部の孔と該肘掛けの取付け凹部の前壁の孔とに差通し回動させることによってキーで係止することによって該肘掛け後部に該背もたれ板を着脱可能に差渡し取付けたことを特徴とする携帯用便器。
【請求項２】
便器本体両側の側壁部の肘掛け部分後部に上下二段にキー溝を有する孔を設け、一方背もたれ板の下縁には左右一対の嵌合溝を設け、該背もたれ板の両側面から該嵌合溝を貫通するキー溝を有する孔を上下二段に設け、該背もたれ板の嵌合溝を該肘掛けの上から嵌合し、キーを有するロック棒を該背もたれ板の孔と該肘掛けの孔とに貫通させ回動係止することによって該肘掛け後部に該背もたれ板を着脱可能に差渡し取付けたことを特徴とする携帯用便器。
【請求項３】
便器本体両側の側壁部の肘掛け部分後方内側にガイド溝を凹設し、該ガイド溝部分にキー溝を有する孔を上下に設け、一方背もたれ板両側面にはキー溝を有する孔を上下に設け、該背もたれ板の両側縁部を該肘掛けのガイド溝に嵌合し、肘掛けの孔と背もたれ板の孔とにキーを有するロック棒を挿入係合することによって、該背もたれ板を該肘掛けに着脱可能に差し渡し固定したことを特徴とする携帯用便器。
【請求項４】
該便器本体の中央部には便容器を懸架する開口部が設けられ、該開口部上縁には便座が配置され、更にその上には座板が被着されており、該座板の両側縁と該便器本体の上面両側部とにはリンクが差渡され、使用状態では該座板を該リンクを介して該便器本体後縁と該背もたれ板との間から後側へ撤去し、該座板撤去状態では該座板上縁と該背もたれ板下縁との間には間隙が設けられている請求項１または２または３に記載の携帯用便器。
【発明の詳細な説明】
【０００１】
【発明の属する技術分野】
本発明は肘掛けと背もたれとを付設した携帯用便器に関するものである。
【０００２】
【従来の技術】
従来、この種の携帯用便器(41)としては、図１３に示すように便器本体(42)の両側から肘掛け(43A,43A) を立上らせ、更に便器本体(42)の上面開口部(44)の周縁には便座(45)を配置し、その上からは便蓋(47)を被着し、背もたれ(46)は両側の枠棒(48,48) を該便器本体(42)の両側部に枢着して取付けられた構成のものが提供されている。
該便器(41)は使用状態では便蓋(47)を跳ね上げ、背もたれ(46)を使用状態に起し、不使用状態では背もたれ(46)を前倒し、便蓋(47)を便座(45)上に被せる。
【０００３】
【発明が解決しようとする課題】
上記従来構成では、背もたれ(46)と肘掛け(43A,43A) の間に隙間Ｓが出来るため、体勢維持に不安が残る、と云う問題がある。
【０００４】
【課題を解決するための手段】
本発明は上記従来の課題を解決するための手段として、便器本体(2) 両側の側壁部(3,3) の肘掛け(3A,3A) 上縁後部に背もたれ板(6) 取付け凹部(14,14) を設け、該取付け凹部(14,14) の前壁(14A) と後壁(14B) とにはキー溝(15A,16A) を有する孔(15,16) を設け、該後壁(14B) の孔(15,16) は該肘掛け(3A)の後面に開口し、一方背もたれ板(6) の両端下部には取付け部(17,17) を設け、該取付け部(17,17) にはキー溝(18A) を有する孔(18)を設け、該背もたれ板(6) の両側の該取付け部(17,17) を該肘掛け(3A,3A) の取付け凹部(14,14) に嵌合し、根端に頭部(19A) を有し先端にキー(19B) を有するロック棒(19)を該肘掛け(3A,3A) の取付け凹部(14,14) の後壁(14B) の孔(16)と該背もたれ板(6) の取付け部(17,17) の孔(18)と該肘掛け(3A,3A) の取付け凹部(14,14) の前壁(14A) の孔(15)とに差通し回動させることによってキーで係止することによって該肘掛け(3A,3A) 後部に該背もたれ板(6) を着脱可能に差渡し取付けた携帯用便器(1) を提供するものである。
また便器本体(22)両側の側壁部(23,23) の肘掛け(23A,23A) 部分後部に上下二段にキー溝(27A,27A) を有する孔(27,27) を設け、一方背もたれ板(26)の下縁には左右一対の嵌合溝(24,24) を設け、該背もたれ板(26)の両側面から該嵌合溝(24,24) を貫通するキー溝(28A,28A) を有する孔(28,28) を上下二段に設け、該背もたれ板(26)の嵌合溝(24,24) を該肘掛け(23A,23A) の上から嵌合し、キー(29B) を有するロック棒(29)を該背もたれ板(26)の孔(28,28) と該肘掛け(23A,23A) の孔(27,27) とに貫通させ回動係止することによって該肘掛け(23A,23A) 後部に該背もたれ板(26)を着脱可能に差渡し取付けた携帯用便器(21)を提供するものである。
また更に便器本体(32)両側の側壁部(33,33) の肘掛け(33A,33A) 部分後方内側にガイド溝(34,34) を凹設し、該ガイド溝(34,34) 部分にキー溝(37A,37A) を有する孔(37,37) を上下に設け、一方背もたれ板(36)両側面にはキー溝(38A,38A) を有する孔(38,38) を上下に設け、該背もたれ板(36)の両側縁部を該肘掛け(33A,33A) のガイド溝(34,34) に嵌合し、肘掛け(33A,33A) の孔(37,37) と背もたれ板(36)の孔(38,38) とにキー(39B) を有するロック棒(39)を挿入係合することによって、該背もたれ板(36)を該肘掛け(33A,33A) に着脱可能に差し渡し固定した携帯用便器(31)を提供するものである。
通常該便器本体(2) の中央部には便容器(10)を懸架する開口部(7) が設けられ、該開口部(7) 上縁には便座(8) が配置され、更にその上には座板(12)が被着されており、該座板(12)の両側縁と該便器本体(2) の上面両側部とにはリンク(13)が差渡され、使用状態では該座板(12)を該リンク(13)を介して該便器本体(2) 後縁と該背もたれ板(6) との間から後側へ撤去し、該座板(12)撤去状態では該座板(12)上縁と該背もたれ板(6) 下縁との間には間隙Ｓが設けられることが好ましい。
【０００５】
【作用】
背もたれ板(6) は便器本体(2) の両側に立設されている肘掛け(3A,3A) に差渡し取付けられるので、背もたれ板(6) の取付強度は大きくなる。通常該便器本体(2) の中央部には便容器(10)を懸架する開口部(7) が設けられ、該開口部(7) 上縁には便座(8) が配置され、更にその上には座板(12)が被着されているが、該座板(12)の両側縁と該便器本体(2) の上面両側部とにはリンク(13)が差渡され、使用状態では該座板(12)を該リンク(13)を介して該便器本体(2) 後縁と該背もたれ板(6) との間から後側へ撤去し、該座板(12)撤去状態では該座板(12)上縁と該背もたれ板(6) 下縁との間には間隙Ｓが設けられていると、介護人が使用者を後側から介護することが出来るようになる。
【０００６】
【発明の実施の形態】
本発明を図１〜図１０に示す一実施例によって説明すれば、携帯用便器(1) は例えば合成樹脂を材料とし、便器本体(2) と、該便器本体(2) の両側に一体的に形成される側壁部(3,3) とからなり、該側壁部(3,3) の便器本体(2) から上方へ突出している部分は肘掛け(3A,3A) となり、下方へ垂下している部分は脚部(3B,3B) となる。なお持運びの手がかりとするため、両側壁部(3,3) の上部には手がかり凹部(4,4) が設けられており、一方の側壁部(3) の中央部には引出し式の物入れ(5) が設けられている。
上記両側の肘掛け(3A,3A) の後部には背もたれ板(6) が差渡されている。
【０００７】
図２に示すように、便器本体(2) の上面には開口部(7) が設けられており、該開口部(7) の周縁には便座(8) が載置される低段部(9) が設けられ、更に該低段部(9) の内周には該低段部(9) より低い位置に便容器(10)を懸架するための支持枠(11)が形成されている。
また便器本体(2) の前面下部には使用者が便座(8) 上に腰をおろしたり、立上る時にそれら動作を容易にするため、足を折曲げる余地(2A)が形成されている。
【０００８】
上記便器本体(2) 上面には座板(12)が被着され、該座板(12)の両側縁と該便器本体(2) の上面両側部（低段部(9) の段面）との間にはリンク(13)が差渡されている。したがって該座板(12)は使用状態にあっては、図３および図４に示すように、該便器本体(2) 後縁と該背もたれ板(6) との間から後側へ撤去することが出来、撤去状態では該座板(12)の上縁と該背もたれ板(6) の下縁との間には間隙Ｓが設けられ、この間隙Ｓを介して介護人は手を差し出し、使用者を介護することが出来る。
【０００９】
該便器本体(2) の両側の側壁部(3,3) の肘掛け(3A,3A) の上縁後部には背もたれ板(6) を取付けるための取付け凹部(14,14) が設けられている。図５および図６に示すように、該取付け凹部(14)の前壁(14A) と後壁(14B) とにはキー溝(15A,16A) を有する孔(15,16) が設けられ、後壁(14B) の孔(16)は該肘掛け(3A)の後面に開口する。
【００１０】
一方図７および図８に示すように背もたれ板(6) の両端下部には取付け部(17,17) が設けられており、該取付け部(17)にはキー溝(18A) を有する孔(18)が設けられている。
【００１１】
そして該背もたれ板(6) は両側の取付け部(17,17) を該肘掛け(3A,3A) の取付け凹部(14,14) に嵌合し、図９に示すロック棒(19)を図１０に示すように該取付け凹部(14)の後壁(14B) の孔(16)、該背もたれ板(6) の取付け部(17)の孔(18)、および該取付け凹部(14)の前壁(14A) の孔(15)に貫通させる。該ロック棒(19)は根端に頭部(19A) 、先端にキー(19B) を有し、該孔(16,18,15)に該ロック棒(19)を貫通させる時は、該ロック棒(19)のキー(19B) を各孔(16,18,15)のキー溝(16A,18A,15A) 内を通す。そしてロック棒(19)が孔(16,18,15)を完全に貫通した状態で、該ロック棒(19)を若干回動させれば、該ロック棒(19)のキー(19B) は該取付け凹部(14)の前壁(14A) の孔(15)の裏側同縁部に係止され、該ロック棒(19)は抜け止めされる。
このようにして背もたれ板(6) は肘掛け(3A,3A) に非常に簡単に差渡され固定される。また背もたれ板(6) はロック棒(19)を回して該ロック棒(19)のキー(19B) を各孔(16,18,15)のキー溝(16A,18A,15A) に沿わせ、引抜けば簡単に取りはずし出来、背もたれ板(6) を取はずせば、介護人が使用者を後側から介護することが一層容易になる。
【００１２】
図１１には本発明の他の実施例が示される。この実施例の携帯用便器(21)では、便器本体(22)の両側に形成される側壁部(23,23) の肘掛け(23A,23A) 部分の後部に上下二段にキー溝(27A,27A) を有する孔(27,27) が設けられ、一方背もたれ板(26)の下縁には嵌合溝(24,24) を設け、該背もたれ板(26)の両側面から該嵌合溝(24,24) を貫通するキー溝(28A,28A) を有する孔(28,28) を上下二段に設け、該背もたれ板(26)の嵌合溝(24,24) を該肘掛け(23A,23A) の上から嵌合し、キー(29B) を有するロック棒(29)を前実施例のように該背もたれ板(26)の孔(28,28) と該肘掛け(23A,23A) の孔(27,27) とに貫通させキー(29B) で係止することによって該背もたれ板(26)の後部に取付け固定される。
【００１３】
図１２には更に他の実施例が示される。この実施例は前実施例の変形であり、携帯用便器(31)では、便器本体(32)の両側の側壁部(33,33) の肘掛け(33A,33A) の後方内側にガイド溝(34,34) が凹設され、該ガイド溝(34,34) 部分にキー溝(37A,37A) を有する孔(37,37) が上下に設けられ、一方該背もたれ板(36)両側面にはキー溝(38A,38A) を有する孔(38,38) が上下に設けられ、該背もたれ板(36)の両側縁部を該肘掛け(33A,33A) のガイド溝(34,34) に嵌合し、肘掛け(33A,33A) の孔(37,37) と背もたれ板(36)の孔(38,38) とにキー(39B) を有するロック棒(39)を挿入係合することにより、該背もたれ板(36)を肘掛け(33A,33A) に差し渡し固定する。
【００１４】
【発明の効果】
本発明では背もたれ板を便器本体の左右の肘掛けに差渡すから、背もたれ取付け構造が極めて簡単になり、かつ背もたれ取付け強度が大きくなり、更に背もたれ板と左右の肘掛けが一体となり、隙間がなく、体勢維持に不安がない。
【図面の簡単な説明】
図１〜図１０は本発明の一実施例を示すものである。
【図１】不使用状態前側からの斜視図
【図２】便器本体の斜視図
【図３】使用状態前側からの斜視図
【図４】使用状態後側からの斜視図
【図５】肘掛けの取付け凹部の後側からの斜視図
【図６】肘掛けの取付け凹部の前側からの斜視図
【図７】背もたれ板斜視図
【図８】背もたれ板取付け部の部分拡大斜視図
【図９】ロック棒の斜視図
【図１０】ロック棒固定状態説明断面図
【図１１】他の実施例の分解斜視図
【図１２】更に他の実施例の分解斜視図
【図１３】従来の斜視図
【符号の説明】
1,21,31       携帯用便器
2,22,32       便器本体
3,23,33       側壁部
3A,23A,33A    肘掛け
6,26,36       背もたれ板
7             開口部
8             便座
12            座板
13            リンク
14            取付け凹部
17            取付け部
19,29,39      ロック棒
24            嵌合溝
34            ガイド溝
Ｓ            間隙
【図１】
0003837041.tif 000002
【図２】
0003837041.tif 000003
【図３】
0003837041.tif 000004
【図４】
0003837041.tif 000005
【図５】
0003837041.tif 000006
【図６】
0003837041.tif 000007
【図７】
0003837041.tif 000008
【図８】
0003837041.tif 000009
【図９】
0003837041.tif 000010
【図１０】
0003837041.tif 000011
【図１１】
0003837041.tif 000012
【図１２】
0003837041.tif 000013
【図１３】
0003837041.tif 000014